(57)【要約】【課題】意匠性の低下を抑制することができると共に、リム内壁面の不洗浄領域を低減させることができ、ボウル内の洗浄性能を確保することができる水洗大便器を提供する。【解決手段】本発明の水洗大便器１は、第１リム導水路２４と、その下流端に形成され、ボウル内に洗浄水を吐水して旋回流を形成する第１リム吐水口３２と、を有し、第１リム導水路は、上流側及び下流側のそれぞれに互いに一体的に形成される上流側リム導水路３０及び下流側リム導水路３２を備えており、上流側リム導水路の下流端Ｄ１の鉛直流路断面Ｃ１は、その外側面４６の高さ寸法Ｈ１が内側面４８の高さ寸法Ｈ２よりも大きくなるように形成されており、下流側リム導水路は、上流側リム導水路の下流端からリム吐水口までに亘って形成され、下流側リム導水路の鉛直流路断面Ｃ２の断面積Ａ２が上流側リム導水路の下流端の鉛直流路断面の断面積Ａ１よりも大きくなるように形成されている。【選択図】図２
2020165172.tif 000002
【特許請求の範囲】
【請求項１】
洗浄水源から供給される洗浄水によって洗浄されて汚物を排出する水洗大便器であって、
汚物を受ける汚物受け面と、この汚物受け面の上縁に形成されたリムと、を備えたボウルと、
上記リムの内部に形成され、上記洗浄水源から供給される洗浄水を導くリム導水路と、
このリム導水路の下流端に形成され、上記ボウル内に洗浄水を吐水して旋回流を形成するリム吐水口と、を有し、
上記リム導水路は、上流側及び下流側のそれぞれに互いに一体的に形成される上流側リム導水路及び下流側リム導水路を備えており、
上記上流側リム導水路の下流端の鉛直流路断面は、その外側面の高さ寸法が内側面の高さ寸法よりも大きくなるように形成されており、
上記下流側リム導水路は、上記上流側リム導水路の下流端から上記リム吐水口までに亘って形成され、上記下流側リム導水路の鉛直流路断面の断面積が上記上流側リム導水路の下流端の鉛直流路断面の断面積よりも大きくなるように形成されていることを特徴とする水洗大便器。
【請求項２】
上記リムは、互いに上下方向に接着される上側リム部及び下側リム部と、上記上側リム部と上記下側リム部とが接着される接着面を形成するリム接着部と、を備えており、上記リム導水路は、上記上側リム部と上記下側リム部とが接着されることにより上記リムの内部に形成され、
上記リム接着部は、上記ボウル側の内側リム接着部と、この内側接着部よりも外側に設けられた外側リム接着部と、を備えており、
上記外側リム接着部の高さ位置は、上記内側リム接着部の高さ位置よりも上方に位置決めされている請求項１記載の水洗大便器。
【請求項３】
上記上流側リム導水路は、その下流端の鉛直流路断面において上記外側面の上端が上記内側面の上端よりも高い位置になるように形成されている請求項１又は２に記載の水洗大便器。
【請求項４】
上記リム吐水口は、前方に向かって開口し且つ上記ボウルの前方側に配置され、
上記リムは、そのリム内壁面上方の基端部から上記ボウル側の最内部に向かって突出するオーバーハング部を備えており、上記オーバーハング部の基端部から最内部までのオーバーハング量は、上記リム内壁面が上記リム吐水口から上記ボウルの前端側に位置する程小さくなるように設定されている請求項１乃至３の何れか１項に記載の水洗大便器。
【請求項５】
上記上流側リム導水路の下流端から上記リム吐水口までの上記下流側リム導水路内の流路に沿った長さは、２０ｍｍ〜１２０ｍｍに設定されている請求項１乃至４の何れか１項に記載の水洗大便器。
【請求項６】
上記上流側リム導水路の下流端の鉛直流路断面を形成する上記下側リム部は、底面部と、この底面部の左右両側にそれぞれに一体的に形成された下側内壁部及び下側外壁部と、を備えており、
上記上流側リム導水路の下流端の鉛直流路断面を形成する上記上側リム部は、上記下側内壁部の上方に設けられた上側内壁部と、この上側内壁部の上側に一体的に形成された第１上面部と、この第１上面部の外側に一体的に形成された上側外壁部と、この上側外壁部の上側に一体的に形成された第２上面部と、を備えており、
上記上流側リム導水路の下流端における上記内側リム接着部は、上記下側リム部の下側内壁部の上端と上記上側リム部の上側内壁部の下端とを接着する内側リム接着面を形成し、
上記上流側リム導水路の下流端における上記外側リム接着部は、上記下側リム部の下側外壁部の上端と上記上側リム部の第２上面部の下端外側とを接着する外側リム接着面を形成する請求項２記載の水洗大便器。
【請求項７】
上記リム導水路は、上記ボウルの前後方向に延びる中心軸線に対して一方側の上記リムの内部に形成される第１リム導水路と、この第１リム導水路の上流側で分岐した後上記ボウルの前後方向に延びる中心軸線に対して他方側の上記リムの内部に形成される第２リム導水路と、を備えており、
上記リム吐水口は、上記第１リム導水路の下流端に設けられて且つ前方に吐水して上記ボウル内に旋回流を形成する第１リム吐水口と、上記第２リム導水路の下流端に設けられて且つ後方に吐水して上記ボウル内に旋回流を形成する第２リム吐水口と、を備えており、
上記上流側リム導水路及び上記下流側リム導水路は、上記第１リム導水路における上流側及び下流側のそれぞれに互いに一体に形成されている請求項１乃至６の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する従来の水洗大便器として、例えば、特許文献１に記載されているように、便器本体が陶器で形成されているものが知られている。
このような従来の陶器製の水洗大便器の製造工程においては、例えば、便器本体のボウルを含む胴部とその上方のリム部とが、それぞれの成型型によって形成された後、互いに上下方向に接着される。そして、このような胴部とリム部との接着後の便器本体には、釉薬が塗布され、一体的に焼成された後、最終製品になる。
また、従来の陶器製の水洗大便器においては、洗浄水源から供給された洗浄水を便器本体のボウルに導くリム導水路及びその下流端のリム吐水口が、胴部とリム部との上下方向からの接着により形成されており、リム吐水口から吐水された洗浄水がリム内壁面に沿って周方向に流れることにより、ボウル内に旋回流が形成されるようになっている。
【先行技術文献】
【特許文献】
【０００３】
【特許文献１】特開２００４−１５６３０８号公報
【発明の概要】
【発明が解決しようとする課題】
【０００４】
しかしながら、上述した従来の水洗大便器においては、製造時に胴部とリム部とを接着した際に発生する互いの接着部分の境界線（いわゆる、「接着ライン」）が、最終製品の便器本体の状態においても、外側表面等の外観面に表出してしまう場合があり、しばしば便器本体の意匠性の低下を招くおそれがあるという問題がある。
したがって、このような陶器製の便器本体の製造時の胴部とリム部との接着部分（いわゆる、接着ライン）について、いかに便器本体の外観から見え難くする箇所に設計するかが従来から要請された課題となっている。
また、上述した従来の水洗大便器においては、リム吐水口から吐水された洗浄水がリム内壁面に沿って流れる際に、このリム内壁面の不洗領域を可能な限り少なくすることが好ましい。そのためには、リム導水路内及びリム吐水口内における外側壁面の高さについて、可能な限り高くすることが好ましく、その手段として、リム吐水口全体の断面積を大きくすることが考えられる。
しかしながら、一般的には、リム吐水口は、リム導水路が満水状態であるときの開口でもあり、このリム吐水口の断面積の大きさは、リム吐水口から吐水される洗浄水の流速等に対しても影響を及ぼす。その結果、水洗大便器の洗浄性能にも大きな影響を及ぼすことになる。
よって、洗浄性能を確保しようとすると、その要求される洗浄性能に応じて、リム吐水口の断面積の大きさが制限されてしまうという問題がある。
一方、リム吐水口の断面積の大きさによる洗浄性能への影響を考慮し、リム吐水口の外側壁面のみを大きくすると、リム吐水口自体の形状が複雑になってしまう可能性があり、リム吐水口の意匠性の低下を招くばかりでなく、リム吐水口内に汚れも付着しやすくなるため、清掃性の低下や衛生面での不快感を招くという問題もある。
【０００５】
そこで、本発明は、上述した従来から要請された課題や従来技術の問題を解決するためになされたものであり、意匠性の低下を抑制することができると共に、リム内壁面の不洗浄領域を低減させることができ、ボウル内の洗浄性能を確保することができる水洗大便器を提供することを目的としている。
【課題を解決するための手段】
【０００６】
上述した課題を解決するために、本発明は、洗浄水源から供給される洗浄水によって洗浄されて汚物を排出する水洗大便器であって、汚物を受ける汚物受け面と、この汚物受け面の上縁に形成されたリムと、を備えたボウルと、上記リムの内部に形成され、上記洗浄水源から供給される洗浄水を導くリム導水路と、このリム導水路の下流端に形成され、上記ボウル内に洗浄水を吐水して旋回流を形成するリム吐水口と、を有し、上記リム導水路は、上流側及び下流側のそれぞれに互いに一体的に形成される上流側リム導水路及び下流側リム導水路を備えており、上記上流側リム導水路の下流端の鉛直流路断面は、その外側面の高さ寸法が内側面の高さ寸法よりも大きくなるように形成されており、上記下流側リム導水路は、上記上流側リム導水路の下流端から上記リム吐水口までに亘って形成され、上記下流側リム導水路の鉛直流路断面の断面積が上記上流側リム導水路の下流端の鉛直流路断面の断面積よりも大きくなるように形成されていることを特徴としている。
このように構成された本発明においては、便器洗浄が開始される際、洗浄水源からリム導水路に供給された洗浄水は、まず、上流側リム導水路内を流れる。このとき、上流側リム導水路の下流端の鉛直流路断面の外側面の高さ寸法が内側面の高さ寸法よりも大きくなるように形成されているため、上流側リム導水路の下流端の鉛直流路断面の全体の大きさを抑制することができ、上流側リム導水路内の容積を抑制することができる。
これにより、上流側リム導水路内の洗浄水は、例えば、所定時間上流側リム導水路内で満水となった状態で、下流側リム導水路内に流入することができる。
また、このとき、上流側リム導水路及び下流側リム導水路が互いに一体的に形成されていることに加えて、下流側リム導水路の鉛直流路断面の断面積が上流側リム導水路の下流端の鉛直流路断面の断面積よりも大きいため、上流側リム導水路の下流端から下流側リム導水路に流入する洗浄水に対しては、圧力損失を生じ難くすることができ、スムーズな流れを形成することができる。
さらに、上流側リム導水路内の洗浄水が満水状態で下流側リム導水路内に流入しても、この下流側リム導水路の鉛直流路断面の断面積が上流側リム導水路の下流端の鉛直流路断面の断面積よりも大きいため、下流側リム導水路内においては、洗浄水が満水状態になることを確実に抑制することができ、下流側リム導水路内を常時非満水状態にすることができる。よって、上流側リム導水路内を通過した洗浄水の流れの勢いを下流側リム導水路内においても維持することができる。
また、リム吐水口の断面積についても、上流側リム導水路の下流端の鉛直流路断面の断面積よりも大きくすることにより、リム吐水口の形状が複雑になることを抑制することができ、リム吐水口及びその周辺部分の意匠性の低下を抑制することができる。
これらの結果、リム吐水口における不洗浄領域を低減させることができると共に、リム吐水口から吐水される洗浄水が通過するリム内壁面についても、高さ方向に広範囲に洗浄することができるため、リム内壁面の不洗浄領域を低減させることができ、ボウル内を確実に洗浄することができる洗浄性能についても確保することができる。
【０００７】
本発明において、好ましくは、上記リムは、互いに上下方向に接着される上側リム部及び下側リム部と、上記上側リム部と上記下側リム部とが接着される接着面を形成するリム接着部と、を備えており、上記リム導水路は、上記上側リム部と上記下側リム部とが接着されることにより上記リムの内部に形成され、上記リム接着部は、上記ボウル側の内側リム接着部と、この内側接着部よりも外側に設けられた外側リム接着部と、を備えており、
上記外側リム接着部の高さ位置は、上記内側リム接着部の高さ位置よりも上方に位置決めされている。
このように構成された本発明においては、上側リム部と下側リム部とが上下方向に接着される内側リム接着部及び外側リム接着部における外側リム接着部の高さ位置について、内側リム接着部の高さ位置よりも上方に位置決めされているため、水洗大便器の外観において上側リム部と下側リム部との外側リム接着部が露出することを抑制することができる。
したがって、外側リム接着部が露出することによる水洗大便器の意匠性の低下を抑制することができる。
また、外側リム接着部の高さ位置を内側リム接着部の高さ位置よりも上方に位置決めしたことにより、上流側リム導水路の下流端の鉛直流路断面の外側面の高さ寸法を内側面の高さ寸法よりも大きくなるように形成することができるため、上流側リム導水路の下流端の鉛直流路断面の全体の大きさを抑制することができ、上流側リム導水路内の容積を抑制することができる。
さらに、外側リム接着部の高さ位置を内側リム接着部の高さ位置よりも上方に位置決めしたことにより、下流側リム導水路の鉛直流路断面の断面積を上流側リム導水路の下流端の鉛直流路断面の断面積よりも大きくすることができる。
したがって、上流側リム導水路の下流端の鉛直流路断面の外側面に沿って下流側リム導水路に流入した洗浄水は、下流側リム導水路内においても高さ位置を維持しながら下流側リム導水路の外側面に沿って流れ、リム吐水口から吐水されるため、リム吐水により洗浄されるリム内壁面の高さ方向の洗浄可能領域を広範囲に設定することができる。よって、リム内壁面の不洗浄領域を低減させることができる。
【０００８】
本発明において、好ましくは、上記上流側リム導水路は、その下流端の鉛直流路断面において上記外側面の上端が上記内側面の上端よりも高い位置になるように形成されている。
このように構成された本発明においては、上流側リム導水路の下流端の鉛直流路断面において、その外側面の上端が内側面の上端よりも高い位置になるように形成されているため、下流側リム導水路の鉛直流路断面の断面積を上流側リム導水路の下流端の鉛直流路断面の断面積よりも大きく設定することにより、上流側リム導水路の下流端の底面と下流側リム導水路の底面とを比較的同一の高さ位置に設定することができる。
したがって、上流側リム導水路内の洗浄水が下流側リム導水路に流入する際に、洗浄水の流れに与える影響を抑制し、スムーズな流れを形成することができる。
また、上流側リム導水路から下流側リム導水路を経てリム吐水口に流れる洗浄水は、リム導水路内の外側面に沿って流れることにより、リム導水路内の外側面の高さ方向の洗浄可能な領域を広範囲に設定することができる。
【０００９】
本発明において、好ましくは、上記リム吐水口は、前方に向かって開口し且つ上記ボウルの前方側に配置され、上記リムは、そのリム内壁面上方の基端部から上記ボウル側の最内部に向かって突出するオーバーハング部を備えており、上記オーバーハング部の基端部から最内部までのオーバーハング量は、上記リム内壁面が上記リム吐水口から上記ボウルの前端側に位置する程小さくなるように設定されている。
このように構成された本発明においては、上流側リム導水路の下流端から流出して上方若しくは外側に飛び出そうとした洗浄水は、上流側リム導水路の下流端の鉛直流路断面の断面積よりも大きい鉛直流路断面の断面積に設定されている下流側リム導水路を通過することによって、飛び出しが抑制された状態でリム吐水口から吐水される。
このとき、リム吐水口直後（リム吐水口の下流側近傍）のリム内壁面のオーバーハング部のオーバーハング量が、リム内壁面がリム吐水口からボウルの前端側に位置する程小さくなるように設定され、オーバーハング量自体が比較的小さく設定されていても、リム吐水口から吐水された洗浄水による水洗大便器の外部への飛び出しを生じ難くすることができる。
【００１０】
本発明において、好ましくは、上記上流側リム導水路の下流端から上記リム吐水口までの上記下流側リム導水路内の流路に沿った長さは、２０ｍｍ〜１２０ｍｍに設定されている。
このように構成された本発明においては、水洗大便器の外観からはリム吐水口と下流側リム導水路のみを視認することができるが、上流側リム導水路の下流端及びその上流側を視認することができないため、意匠性の低下を抑制することができる。
また、下流側リム導水路を通過してリム吐水口から吐水された洗浄水によるリム内壁面の不洗浄領域を低減させることができるため、ボウル内の洗浄性能を確保することができる下流側リム導水路の最適設計を実現することができる。
【００１１】
本発明において、好ましくは、上記上流側リム導水路の下流端の鉛直流路断面を形成する上記下側リム部は、底面部と、この底面部の左右両側にそれぞれに一体的に形成された下側内壁部及び下側外壁部と、を備えており、上記上流側リム導水路の下流端の鉛直流路断面を形成する上記上側リム部は、上記下側内壁部の上方に設けられた上側内壁部と、この上側内壁部の上側に一体的に形成された第１上面部と、この第１上面部の外側に一体的に形成された上側外壁部と、この上側外壁部の上側に一体的に形成された第２上面部と、を備えており、上記上流側リム導水路の下流端における上記内側リム接着部は、上記下側リム部の下側内壁部の上端と上記上側リム部の上側内壁部の下端とを接着する内側リム接着面を形成し、上記上流側リム導水路の下流端における上記外側リム接着部は、上記下側リム部の下側外壁部の上端と上記上側リム部の第２上面部の下端外側とを接着する外側リム接着面を形成する。
このように構成された本発明においては、上流側リム導水路の下流端の鉛直流路断面について、内側リム接着部が下側リム部の下側内壁部の上端と上側リム部の上側内壁部の下端とを接着する内側リム接着面を形成し、外側リム接着部が下側リム部の下側外壁部の上端と上側リム部の第２上面部の下端外側とを接着する外側リム接着面を形成しているため、外側リム接着面の高さ位置を内側リム接着面の高さ位置よりも上方に位置決めすることができる。
したがって、水洗大便器の外観において、下側リム部の下側外壁部の上端と上側リム部の第２上面部の下端外側とを接着する外側リム接着面が露出することを抑制することができる。
よって、外側リム接着面が露出することによる水洗大便器の意匠性の低下を抑制することができる。
【００１２】
本発明において、好ましくは、上記リム導水路は、上記ボウルの前後方向に延びる中心軸線に対して一方側の上記リムの内部に形成される第１リム導水路と、この第１リム導水路の上流側で分岐した後上記ボウルの前後方向に延びる中心軸線に対して他方側の上記リムの内部に形成される第２リム導水路と、を備えており、上記リム吐水口は、上記第１リム導水路の下流端に設けられて且つ前方に吐水して上記ボウル内に旋回流を形成する第１リム吐水口と、上記第２リム導水路の下流端に設けられて且つ後方に吐水して上記ボウル内に旋回流を形成する第２リム吐水口と、を備えており、上記上流側リム導水路及び上記下流側リム導水路は、上記第１リム導水路における上流側及び下流側のそれぞれに互いに一体に形成されている
このように構成された本発明においては、第１リム導水路の上流側第１リム導水路について、その下流端の鉛直流路断面の外側面の高さ寸法Ｈ１が内側面の高さ寸法Ｈ２よりも大きくなるように形成することができる。
これにより、第１リム導水路の上流側リム導水路の下流端の鉛直流路断面の全体の大きさを抑制することができ、第１リム導水路の上流側リム導水路内の容積を抑制することができる。
したがって、例えば、第１リム導水路の洗浄水と第２リム導水路の洗浄水とに分流した後の第１リム導水路の上流側リム導水路内の洗浄水は、第１リム導水路の上流側リム導水路内で所定時間満水となった状態で、第１リム導水路の下流側リム導水路内に流入することができる。
このとき、第１リム導水路の上流側リム導水路及び下流側リム導水路が互いに一体的に形成されていることに加えて、第１リム導水路の下流側リム導水路の鉛直流路断面の断面積が第１リム導水路の上流側リム導水路の下流端の鉛直流路断面の断面積よりも大きいため、第１リム導水路の上流側リム導水路の下流端から下流側リム導水路に流入する洗浄水に対しては、圧力損失を生じ難くすることができ、スムーズな流れを形成することができる。
さらに、第１リム導水路の上流側リム導水路内の洗浄水が満水状態で下流側リム導水路内に流入しても、この下流側リム導水路の鉛直流路断面の断面積が上流側リム導水路の下流端の鉛直流路断面の断面積Ａ１よりも大きいため、下流側リム導水路内においては、洗浄水が満水状態になることを確実に抑制することができ、下流側リム導水路内を常時非満水状態にすることができる。よって、第１リム導水路の上流側リム導水路内を通過した洗浄水の流れの勢いを下流側リム導水路内においても維持することができる。
また、第１リム吐水口の鉛直流路断面の断面積についても、第１リム導水路の上流側リム導水路の下流端の鉛直流路断面の断面積よりも大きくすることにより、第１リム吐水口の形状が複雑になることを抑制することができ、第１リム吐水口及びその周辺部分の意匠性の低下を抑制することができる。
これらの結果、第１リム吐水口における不洗浄領域を低減させることができると共に、第１リム吐水口から前方に吐水される洗浄水が通過するリム内壁面についても、高さ方向に広範囲に洗浄することができるため、リム内壁面の不洗浄領域を低減させることができ、ボウル６内を確実に洗浄することができる洗浄性能についても確保することができる。
【発明の効果】
【００１３】
本発明の水洗大便器によれば、意匠性の低下を抑制することができると共に、リム内壁面の不洗浄領域を低減させることができ、ボウル内の洗浄性能を確保することができる。
【図面の簡単な説明】
【００１４】
【図１】本発明の一実施形態による水洗大便器の概略平面図である。
【図２】図１のＩＩ−ＩＩ線に沿った断面図である。
【図３】図１のＩＩＩ−ＩＩＩ線に沿った断面図である。
【図４】図１のＩＶ−ＩＶ線に沿った断面図である。
【図５】図１のＶ−Ｖ線に沿った断面図である。
【図６】図１のＶＩ−ＶＩ線に沿った断面図である。
【図７】図１のＶＩＩ−ＶＩＩ線に沿った断面図である。
【図８】本発明の一実施形態による水洗大便器のボウル内の洗浄水の流れを概略的に説明した概略平面図である。
【発明を実施するための形態】
【００１５】
つぎに、図１〜図８を参照して、本発明の一実施形態による水洗大便器について説明する。
まず、図１は、本発明の一実施形態による水洗大便器の概略平面図である。
図１に示すように、本発明の第１実施形態による水洗大便器１は、陶器製の便器本体２と、その後方側に設けられたタンク装置４と、を備えている。
便器本体２は、ボウル形状のボウル６を備えている。このボウル６は、汚物を受ける汚物受け面８と、この汚物受け面８の上縁に形成されるリム１０と、汚物受け面の下方に形成される壺１２と、この壺１２の底部から延びてボウル６内の汚物を排出する排水トラップ１４と、を備えている。
図１に示すように本実施形態の水洗大便器１は、便器本体２のボウル６内の水の落差による流水作用で汚物を排水トラップ１４へ押し流す、いわゆる、「洗い落し式の水洗大便器」である。
ここで、図１に示す本発明の一実施形態による水洗大便器１においては、便器本体２のボウル６の平面視において、ボウル６を前後方向に二等分するように水平左右方向に延びる中心軸線を「Ｘ」で示し、ボウル６を左右方向に二等分するように水平前後方向に延びる中心軸線を「Ｙ」で示している。
さらに、図１に示すように、水洗大便器１の前後左右の方向については、「前」、「後」、「左」、「右」でそれぞれ示している。
【００１６】
つぎに、図１に示す本実施形態の水洗大便器１の便器本体２の上面においては、便座（図示せず）及び便蓋（図示せず）等が設けられているが、従来の水洗大便器の構造と同様であるため、具体的な説明については省略する。
また、便器本体２の上面においては、便座（図示せず）及び便蓋（図示せず）の後方側には、使用者の局部を洗浄する衛生洗浄部（図示せず）や便器本体２への給水機能に関与する給水系機能部等の機能部（図示せず）も設けられていてもよいが、これらについても、従来の水洗大便器の構造と同様であるため、具体的な説明については省略する。
さらに、タンク装置４は、給水源である貯水タンク１６と、この貯水タンク１６内の洗浄水を便器本体２の導水路１８（詳細は後述する）に圧送するポンプ２０等を備えている。
すなわち、本実施形態では、タンク装置４の給水源としては、ポンプ２０の補圧を利用して貯水タンク１６内の洗浄水を便器本体２の導水路１８に供給することができる、いわゆる、ポンプ式の形態について説明するが、このような形態に限られず、他の形態の給水源についても適用可能である。
例えば、他の形態の給水源として、貯水タンクに貯水した洗浄水について重力を利用して便器本体２に供給する、いわゆる、重力給水式の形態を採用してもよいし、或いは、水道水の給水圧を直接利用した水道直圧式の形態やフラッシュバルブ式の形態を採用してもよい。
【００１７】
つぎに、図１に示すように、本実施形態の水洗大便器１のボウル６内の領域について、壺１２の上縁１２ａの前端位置Ｐ１よりも前方側の領域を「ボウル６の前方領域Ｆ」と定義する。
また、このボウル６の前方領域Ｆにおいて、ボウル６の水平前後方向の中心軸線Ｙに対して左側領域Ｌ、右側領域Ｒのそれぞれを「ボウル６の左前方領域ＬＦ」、「ボウル６の右前方領域ＲＦ」と定義する。
同様に、壺１２の上縁１２ａの後端位置Ｐ２よりも後方側の領域を「ボウル６の後方領域Ｂ」と定義する。また、このボウル６の後方領域Ｂにおいて、ボウル６の水平前後方向の中心軸線Ｙに対して左側領域Ｌ、右側領域Ｒのそれぞれを「ボウル６の左後方領域ＬＢ」、「ボウル６の右後方領域ＲＢ」と定義する。
さらに、図１に示すように、本実施形態の水洗大便器１においては、ボウル６内の前方領域Ｆと後方領域Ｂとの間を「ボウル６の中間領域Ｍ」と定義する。
また、このボウル６の中間領域Ｍにおいて、ボウル６の左側領域Ｌにおける壺１２の上縁１２ａよりも左側の領域を「ボウル６の左側方領域ＬＭ」と定義し、ボウル６の右側領域Ｒにおける壺１２の上縁よりも右側の領域を「ボウル６の右側方領域ＲＭ」と定義する。
【００１８】
つぎに、図１に示すように、導水路１８は、ボウル６の背面側に設けられている。この導水路１８の上流側は、タンク装置４のポンプ２０から延びる給水管路２２に接続されている。
また、導水路１８の下流側は、第１リム導水路２４及び第２リム導水路２６のそれぞれに分岐している。
さらに、第１リム導水路２４は、その上流側が導水路１８に接続される上流側第１リム導水路２８と、この上流側第１リム導水路２８の下流側に一体的に形成される下流側第１リム導水路３０と、を備えている。
また、下流側第１リム導水路３０及び第２リム導水路２６のそれぞれの下流端には、第１リム吐水口３２及び第２リム吐水口３４がそれぞれ設けられている。
【００１９】
つぎに、図１に示すように、第１リム吐水口３２は、ボウル６内の左前方領域ＬＦのリム１０に設けられており、壺部１２の前端位置Ｐ１よりも前方に配置されている。
また、図１に示すように、上流側第１リム導水路２８及び下流側第１リム導水路３０は、ボウル６の外周面を迂回しながら前方の第１リム吐水口３２まで延びるようにリム１０の内部に形成されている。
これにより、導水路１８から第１リム導水路２４に供給された洗浄水Ｗ１は、第１リム吐水口３２から前方の棚面３６に吐水された後、ボウル６内の左前方領域ＬＦから右前方領域ＲＦを経て右側方領域ＲＭへと旋回する旋回流を形成するようになっている。
一方、図１に示すように、第２リム吐水口３４は、ボウル６内の右側方領域ＲＭのリム１０に設けられており、壺部１２の前端位置Ｐ１よりも後方且つ後端位置Ｐ２よりも前方に配置されている。
また、第２リム吐水口３４は、壺部１２の前後方向の中央（図１に示す壺部１２の前後後方向の中心Ｏ１）よりも後方に配置されている。
さらに、図１に示すように、第２リム導水路２６は、ボウル６の外周面を迂回しながら前方のボウル６の右側方領域ＲＭのリム１０まで延びるように形成されている。その後、第２リム導水路２６は、ボウル６の右側方領域ＲＭのリム１０の内部において、後方側にＵターンして後方に延びるように形成された後、第２リム吐水口３４に向けて斜め後方に屈曲して第２リム吐水口３４まで延びるように形成されている。
【００２０】
つぎに、図１〜図３を参照して、本実施形態の水洗大便器１における第１リム導水路２４及び第１リム吐水口３２の詳細について説明する。
まず、図２は、図１のＩＩ−ＩＩ線に沿った断面図であり、図３は、図１のＩＩＩ−ＩＩＩ線に沿った断面図である。また、図４は、図１のＩＶ−ＩＶ線に沿った断面図であり、図５は、図１のＶ−Ｖ線に沿った断面図である。さらに、図６は、図１のＶＩ−ＶＩ線に沿った断面図であり、図７は、図１のＶＩＩ−ＶＩＩ線に沿った断面図である。
図２〜図７に示すように、リム１０は、陶器製の便器本体２の製造工程において、互いに上下方向に接着される上側リム部３８及び下側リム部４０と、上側リム部３８と下側リム部４０とが接着される接着面（内側リム接着面Ｓ１及び外側リム接着面Ｓ２）を形成するリム接着部（内側リム接着部４２及び外側リム接着部４４）と、を備えている。
また、図２〜図７に示すように、第１リム導水路２４（上流側第１リム導水路２８及び下流側第１リム導水路３０）は、陶器製の便器本体２の製造工程において、上側リム部３８の内側リム接着面Ｓ１及び外側リム接着面Ｓ２のそれぞれと下側リム部４０の内側リム接着面Ｓ１及び外側リム接着面Ｓ２のそれぞれとが互いに接着されることによりリム１０の内部に形成されるようになっている。
さらに、図２〜図７に示すように、外側リム接着部４４は、ボウル６側（内側）の内側リム接着部４２よりも外側に設けられている。また、外側リム接着部４４の高さ位置Ｐ３は、外側リム接着部４４が外観から露出しないように内側リム接着部４２の高さ位置Ｐ４よりも上方に位置決めされている。
【００２１】
つぎに、図１〜図３に示すように、上流側第１リム導水路２８の下流端Ｄ１における鉛直流路断面Ｃ１は、その外側面（外側壁面４６）の最大高さ寸法Ｈ１が、鉛直流路断面Ｃ１の内側面（内側壁面４８）の最大高さ寸法Ｈ２よりも大きくなるように形成されている（Ｈ２＜Ｈ１）。
これにより、上流側第１リム導水路２８は、その下流端Ｄ１の鉛直流路断面Ｃ１において、外側壁面４６の上端４６ａが内側壁面４８の上端４８ａよりも高い位置になるように形成されている。
また、図１〜図３に示すように、下流側第１リム導水路３０は、上流側第１リム導水路２８の下流端Ｄ１から第１リム吐水口３２までに亘って形成され、下流側第１リム導水路３０の鉛直流路断面Ｃ２の断面積Ａ２（図３参照）が、上流側第１リム導水路２８の下流端Ｄ１の鉛直流路断面Ｃ１の断面積Ａ１（図２参照）よりも大きくなるように形成されている（Ａ２＞Ａ１）。
【００２２】
つぎに、図２に示すように、上流側第１リム導水路２８の下流端Ｄ１の鉛直流路断面Ｃ１を形成する下側リム部４０は、底面部４０ａと、この底面部４０ａの左右両側にそれぞれに一体的に形成された下側内壁部４０ｂ及び下側外壁部４０ｃと、を備えている。
また、図２に示すように、上流側第１リム導水路２８の下流端Ｄ１の鉛直流路断面Ｃ１を形成する上側リム部３８は、下側リム部４０の下側内壁部４０ｂの上方に設けられた上側内壁部３８ａと、この上側内壁部３８ａの上側に一体的に形成された第１上面部３８ｂと、この第１上面部３８ｂの外側に一体的に形成された上側外壁部３８ｃと、この上側外壁部３８ｃの上側に一体的に形成された第２上面部３８ｄと、を備えている。
これにより、上流側第１リム導水路２８の下流端Ｄ１における内側リム接着部４２は、下側リム部４０の下側内壁部４０ｂの上端と上側リム部３８の上側内壁部３８ａの下端とを接着する内側リム接着面Ｓ１を形成している。
さらに、図２に示すように、上流側第１リム導水路２８の下流端Ｄ１における外側リム接着部４４は、下側リム部４０の下側外壁部４０ｃの上端と上側リム部３８の第２上面部３８ｄの下端外側とを接着する外側リム接着面Ｓ２を形成している。
【００２３】
つぎに、図１に示すように、上流側第１リム導水路２８の下流端Ｄ１から第１リム吐水口３２までの下流側第１リム導水路３０内の流路に沿った長さＬ１は、２０ｍｍ〜１２０ｍｍに設定されており、好ましくは、５０ｍｍ〜９０ｍｍに設定されている。
また、第１リム吐水口３２は、前方に向かって開口し且つボウル６の前方側（ボウル６内の左前方領域ＬＦのリム１０に）に配置されている。
さらに、図４及び図５に示すように、リム１０は、そのリム内壁面５０の上方の基端部５２からボウル側の最内部５４に向かって突出するオーバーハング部５６を備えている。
また、このオーバーハング部５６の基端部５２から最内部５４までのオーバーハング量ｄ［ｍｍ］は、リム内壁面５０が第１リム吐水口３２からボウル６の前端６ａ側に位置する程小さくなるように設定されている（ｄ１＞ｄ２）。
さらに、図５〜図７に示すように、ボウル６の前端６ａよりも右側のボウル６の右前方領域ＲＦのリム１０のオーバーハング量ｄ３，ｄ４においては、ボウル６の前端６ａのリム１０のオーバーハング量ｄ２よりも大きくなるように設定されている（ｄ３，ｄ４＞ｄ２）。
【００２４】
つぎに、図１〜図８を参照して、本発明の一実施形態による水洗大便器１の作用について説明する。
図８は、本発明の一実施形態による水洗大便器のボウル内の洗浄水の流れを概略的に説明した概略平面図である。
まず、図１及び図８に示すように、便器洗浄が開始され、タンク装置４の貯水タンク１６内の洗浄水Ｗ０がポンプ２０により圧送され、便器本体２の導水路１８に供給される。
そして、図８に示すように、導水路１８内の洗浄水Ｗ０（図８の流れｆ０）は、第１リム導水路２４に流入する洗浄水Ｗ１の流れｆ１と、第２リム導水路２６に流入する洗浄水Ｗ２の流れｆ２とに分流される。
そして、第１リム導水路２４内の洗浄水Ｗ１は、上流側第１リム導水路２８から下流側第１リム導水路３０を経て第１リム吐水口３２からボウル６内の前方に向けて吐水される（図８の洗浄水Ｗ１の流れｆ１参照）。
また、第２リム導水路２６内の洗浄水Ｗ２は、第２リム吐水口３４からボウル６内の後方に向けて吐水される（図８の洗浄水Ｗ２の流れｆ２参照）。
【００２５】
つぎに、図８に示すように、第１リム吐水口３２からその前方のボウル６内の左前方領域ＬＦにおける棚面３６及びリム内壁面５０に向けて吐水された洗浄水Ｗ１（第１リム吐水の流れｆ１）は、ボウル６内の左前方領域ＬＦの棚面３６及びリム内壁面５０に沿ってボウル６の前端６ａに向かって流れ、このボウル６の前端６ａ付近を通過した後、右前方領域ＲＦを経て右側方領域ＲＭに流れる旋回流ｆ１を形成する。
そして、この旋回流ｆ１が第２リム吐水口３４付近に到達すると、第２リム吐水口３４のから吐水される洗浄水Ｗ２（第２リム吐水の流れｆ２）に合流する。
また、図８に示すように、第１リム吐水Ｗ１と第２リム吐水Ｗ２との合流後の洗浄水Ｗ３は、壺１２よりも後方側のボウル６の右後方領域ＲＢに導かれ、この洗浄水Ｗ３の一部の水流ｆ３が壺部１２内に後方側から流下する。
さらに、図８に示すように、ボウル６の右後方領域ＲＢに導かれた合流後の洗浄水Ｗ３の一部の水流ｆ４は、ボウル６の左後方領域ＬＲから左側方領域ＬＭに旋回した後、壺１２内に左側方から流れ込む。
一方、図８に示すように、ボウル６の右後方領域ＲＢの合流後の洗浄水Ｗ３の残部の水流ｆ５は、ボウル６の左後方領域ＬＢから左側方領域ＬＭを経て前方領域Ｆまで旋回する。
そして、図８に示すように、このボウル６の前方領域Ｆの水流ｆ５は、ボウル６の前方領域Ｆで第１リム吐水Ｗ１の旋回流ｆ１から早々と分岐して流下している水流と合流することにより水流ｆ６となり、この水流ｆ６が壺１２内に前方側から流れ込む。
これらにより、汚物が付着し易いボウル６の後方領域Ｂの汚物受け面８やリム１０が合流後の洗浄水Ｗ３により広範囲に洗浄される。その後、これらの洗浄水Ｗ３（流れｆ３〜ｆ６）が壺１２内に流れ込むことによるボウル６内の水の落差による流水作用により、ボウル６内の汚物は、壺１２から排水トラップ１４内に押し流されて排出される。
【００２６】
上述した本発明の一実施形態による水洗大便器１によれば、第１リム導水路２４の上流側第１リム導水路２８について、その下流端Ｄ１の鉛直流路断面Ｃ１の外側面（外側壁面４６）の高さ寸法Ｈ１が内側面（内側壁面４８）の高さ寸法Ｈ２よりも大きくなるように形成されている。
これにより、上流側第１リム導水路２８の下流端Ｄ１の鉛直流路断面Ｃ１の全体の大きさを抑制することができ、上流側第１リム導水路２８内の容積を抑制することができる。
したがって、例えば、便器本体２の導水路１８の洗浄水Ｗ０から分流した後の上流側第１リム導水路２８内の洗浄水Ｗ１は、上流側第１リム導水路２８内で所定時間満水となった状態で、下流側第１リム導水路３０内に流入することができる。
ここで、図２に示すように、「上流側第１リム導水路２８の満水状態」とは、上流側第１リム導水路２８内の洗浄水量（体積）Ｖ１［Ｌ］が、上流側第１リム導水路２８内の全収容容積Ｖ０［Ｌ］に対して９０％以上を占有している状態を意味している。
また、このとき、上流側第１リム導水路２８及び下流側第１リム導水路３０が互いに一体的に形成されていることに加えて、下流側第１リム導水路３０の鉛直流路断面Ｃ２の断面積Ａ２（図３参照）が上流側第１リム導水路２８の下流端Ｄ１の鉛直流路断面Ｃ１の断面積Ａ１（図２参照）よりも大きいため（Ａ２＞Ａ１）、上流側第１リム導水路２８の下流端Ｄ１から下流側第１リム導水路３０に流入する洗浄水Ｗ１に対しては、圧力損失を生じ難くすることができ、スムーズな流れを形成することができる。
さらに、上流側第１リム導水路２８内の洗浄水Ｗ１が満水状態（図２参照）で下流側第１リム導水路３０内に流入しても、この下流側第１リム導水路３０の鉛直流路断面Ｃ２の断面積Ａ２が上流側第１リム導水路２８の下流端Ｄ１の鉛直流路断面Ｃ１の断面積Ａ１よりも大きいため、下流側第１リム導水路３０内においては、洗浄水Ｗ１が満水状態になることを確実に抑制することができ、下流側第１リム導水路３０内を常時非満水状態（図３参照）にすることができる。よって、上流側第１リム導水路２８内を通過した洗浄水Ｗ１の流れの勢いを下流側第１リム導水路３０内においても維持することができる。
ここで、図３に示すように、「下流側第１リム導水路３０の非満水状態」とは、下流側第１リム導水路３０内の洗浄水量（体積）Ｖ２［Ｌ］が、下流側第１リム導水路３０内の全収容容積Ｖ３［Ｌ］に対して９０％未満を占有している状態を意味している。
また、第１リム吐水口３２の鉛直流路断面Ｃ２の断面積Ａ２（図３参照）についても、上流側第１リム導水路２８の下流端Ｄ１の鉛直流路断面Ｃ１の断面積Ａ１よりも大きくすることにより、第１リム吐水口３２の形状が複雑になることを抑制することができ、第１リム吐水口３２及びその周辺部分の意匠性の低下を抑制することができる。
これらの結果、第１リム吐水口３２における不洗浄領域を低減させることができると共に、第１リム吐水口３２から前方に吐水されるリム吐水（図８に示す洗浄水Ｗ１の流れｆ１）が通過するリム内壁面５０についても、高さ方向に広範囲に洗浄することができるため、リム内壁面５０（図４〜図８参照）の不洗浄領域を低減させることができ、ボウル６内を確実に洗浄することができる洗浄性能についても確保することができる。
【００２７】
つぎに、本実施形態による水洗大便器１によれば、図２〜図７に示すように、上側リム部３８と下側リム部４０とが上下方向に接着される内側リム接着部４２及び外側リム接着部４４における外側リム接着部４４の高さ位置Ｐ３について、外側リム接着部４４が外観から露出しないように内側リム接着部４２の高さ位置Ｐ４よりも上方に位置決めされている。
これにより、水洗大便器１の陶器製の便器本体２の外観において上側リム部３８と下側リム部４０との外側リム接着部４４の外側リム接着面Ｓ２が露出することを抑制することができるため、水洗大便器１の意匠性の低下を抑制することができる。
また、外側リム接着部４４の高さ位置Ｐ３を内側リム接着部４２の高さ位置Ｐ４よりも上方に位置決めしたことにより、上流側第１リム導水路２８の下流端Ｄ１の鉛直流路断面Ｃ１の外側面（外側壁面４６）の高さ寸法Ｈ１を内側面（内側壁面４８）の高さ寸法Ｈ２よりも大きくなるように形成することができる（図２参照）。よって、上流側第１リム導水路２８の下流端Ｄ１の鉛直流路断面Ｃ１の全体の大きさ（断面積Ａ１）を抑制することができ、上流側第１リム導水路２８内の容積Ｖ０を抑制することができる。
さらに、外側リム接着部４４の高さ位置Ｐ３を内側リム接着部４２の高さ位置Ｐ４よりも上方に位置決めしたことにより、下流側第１リム導水路３０の鉛直流路断面Ｃ２の断面積Ａ２を上流側第１リム導水路２８の下流端Ｄ１の鉛直流路断面Ｃ１の断面積Ａ１よりも大きくすることができる。
したがって、上流側第１リム導水路２８の下流端Ｄ１の鉛直流路断面Ｃ１の外側面（外側壁面４６）に沿って下流側第１リム導水路３０に流入した洗浄水Ｗ１は、下流側第１リム導水路３０内においても高さ位置を維持しながら下流側第１リム導水路３０の外側面（外側壁面４６）に沿って流れ、第１リム吐水口３２から吐水される。
これにより、第１リム吐水口３２から吐水されたリム吐水（図８の洗浄水Ｗ１の流れｆ１参照）により洗浄されるリム内壁面５０の高さ方向の洗浄可能領域を広範囲に設定することができるため、リム内壁面５０の不洗浄領域を低減させることができる。
【００２８】
また、本実施形態による水洗大便器１によれば、図２に示すように、上流側第１リム導水路２８の下流端Ｄ１の鉛直流路断面Ｃ１において、その外側面（外側壁面４６）の上端４６ａが内側面（内側壁面４８）の上端４８ａよりも高い位置になるように形成されている。
これにより、下流側第１リム導水路３０の鉛直流路断面Ｃ２の断面積Ａ２を上流側第１リム導水路２８の下流端Ｄ１の鉛直流路断面Ｃ１の断面積Ａ１よりも大きく設定することにより、上流側第１リム導水路２８の下流端Ｄ１の底面５８（図２参照）と下流側第１リム導水路３０の底面６０（図３参照）とを比較的同一の高さ位置に設定することができる。
したがって、上流側第１リム導水路２８内の洗浄水Ｗ１が下流側第１リム導水路３０に流入する際に、洗浄水Ｗ１の流れｆ１に与える影響を抑制し、スムーズな流れを形成することができる。
また、上流側第１リム導水路２８から下流側第１リム導水路３０を経て第１リム吐水口３２に流れる洗浄水Ｗ１は、第１リム導水路２４（上流側第１リム導水路２８及び下流側第１リム導水路３０）内の外側面（外側壁面４６）に沿って流れることにより、第１リム導水路２８内の外側面（外側壁面４６）の高さ方向の洗浄可能な領域を広範囲に設定することができる。
【００２９】
さらに、本実施形態の水洗大便器１によれば、上流側第１リム導水路２８の下流端Ｄ１から流出して上方若しくは外側に飛び出そうとした洗浄水Ｗ１は、上流側第１リム導水路２８の下流端Ｄ１の鉛直流路断面Ｃ１の断面積Ａ１よりも大きい鉛直流路断面Ｃ２の断面積Ａ２に設定されている下流側第１リム導水路３０を通過することによって、飛び出しが抑制された状態で第１リム吐水口３２から吐水される。
このとき、第１リム吐水口３２の直後（第１リム吐水口３２の下流側（前方側）近傍）のリム内壁面５０のオーバーハング部５６のオーバーハング量ｄが、リム内壁面５０が第１リム吐水口３２からボウル６の前端６ａ側に位置する程小さくなるように設定され、オーバーハング量ｄ自体が比較的小さく設定されていても、第１リム吐水口３２から吐水された洗浄水Ｗ１による水洗大便器１の外部への飛び出しを生じ難くすることができる。
【００３０】
また、本実施形態による水洗大便器１によれば、上流側第１リム導水路２８の下流端Ｄ１から第１リム吐水口３２までの下流側第１リム導水路３０内の流路に沿った長さＬ１は、２０ｍｍ〜１２０ｍｍに設定されており、好ましくは、５０ｍｍ〜９０ｍｍに設定されている。
これにより、水洗大便器１の外観（より具体的には、水洗大便器１の前方）からは、第１リム吐水口３２と下流側第１リム導水路３０のみを視認することができるが、上流側第１リム導水路２８の下流端Ｄ１及びその上流側を視認することができないため、意匠性の低下を抑制することができる。
また、下流側第１リム導水路３０を通過して第１リム吐水口３２から吐水された洗浄水Ｗ１によるリム内壁面５０の不洗浄領域を低減させることができるため、ボウル６内の洗浄性能を確保することができる下流側第１リム導水路３０の最適設計を実現することができる。
【００３１】
さらに、本実施形態による水洗大便器１によれば、上流側第１リム導水路２８の下流端Ｄ１の鉛直流路断面Ｃ１について、内側リム接着部４２が下側リム部４０の下側内壁部４０ｂの上端と上側リム部３８の上側内壁部３８ａの下端とを接着する内側リム接着面Ｓ１を形成し、外側リム接着部４４が下側リム部４０の下側外壁部４０ｃの上端と上側リム部３８の第２上面部３８ｄの下端外側とを接着する外側リム接着面Ｓ２を形成している。
これらにより、外側リム接着面Ｓ２の高さ位置Ｐ３を内側リム接着面Ｓ１の高さ位置Ｐ４よりも上方に位置決めすることができる。
したがって、水洗大便器１の外観において、下側リム部４０の下側外壁部４０ｃの上端と上側リム部３８の第２上面部３８ｄの下端外側とを接着する外側リム接着面Ｓ２が露出することを抑制することができる。
よって、陶器製の便器本体２の外側リム接着面Ｓ２が露出することによる水洗大便器１の意匠性の低下を抑制することができる。
【００３２】
なお、上述した本実施形態による水洗大便器１においては、いわゆる、「洗い落し式の水洗大便器」の形態に適用した例について説明したが、洗い落し式の水洗大便器以外の形態の水洗大便器に対しても適用可能である。
すなわち、洗い落し式の水洗大便器以外の形態の水洗大便器として、サイホン作用を利用してボウル内の汚物を吸い込んで排水トラップ管路から一気に外部に排出する、いわゆる、「サイホン式の水洗大便器」等に対しても適用可能である。
また、上述した本発明の一実施形態による水洗大便器１においては、第１リム導水路２４及び第２リム導水路２６の２つのリム導水路がそれぞれ設け、第１リム吐水口３２及び第２リム吐水口３４の２つのリム吐水口がそれぞれ設けた形態について説明したが、第２リム導水路２６及び第２リム吐水口３４については省略してもよい。
【符号の説明】
【００３３】
１        水洗大便器
２        便器本体
４        タンク装置
６        ボウル
６ａ      ボウルの前端
８        汚物受け面
１０        リム
１２        壺
１４        排水トラップ
１６        貯水タンク（給水源）
１８        導水路
２０        ポンプ
２２        給水管路
２４        第１リム導水路（リム導水路）
２６        第２リム導水路（リム導水路）
２８        上流側第１リム導水路（上流側リム導水路）
３０        下流側第１リム導水路（下流側リム導水路）
３２        第１リム吐水口（リム吐水口）
３４        第２リム吐水口
３６        棚面
３８        上側リム部
３８ａ      上側内壁部
３８ｂ      第１上面部
３８ｃ      上側外壁部
３８ｄ      第２上面部
４０        下側リム部
４０ａ      底面部
４０ｂ      下側内壁部
４０ｃ      外側内壁部
４２        内側リム接着部（リム接着部）
４４        外側リム接着部（リム接着部）
４６        上流側第１リム導水路の下流端の鉛直流路断面の外側壁面（外側面）
４６ａ      外側壁面の上端
４８        上流側第１リム導水路の下流端の鉛直流路断面の内側壁面（内側面）
４８ａ      内側壁面の上端
５０        リム内壁面
５２        リム内壁面の上方の基端部
５４        最内部
５６        オーバーハング部
５８        上流側第１リム導水路の下流端の底面
６０        下流側リム導水路の底面
ｆ０      導水路の洗浄水の流れ
ｆ１      第１リム吐水口から吐水された洗浄水の流れ（旋回流）
ｆ２      第２リム吐水口から吐水された洗浄水の流れ
ｆ３      洗浄水の流れ
ｆ４      洗浄水の流れ
ｆ５      洗浄水の流れ
ｆ６      洗浄水の流れ
Ａ１      上流側第１リム導水路の下流端の鉛直流路断面の断面積
Ａ２      下流側第１リム導水路及び第１リム吐水口の鉛直流路断面の断面積
Ｂ        ボウルの後方領域
Ｃ１      上流側第１リム導水路の下流端の鉛直流路断面
Ｃ２      下流側第１リム導水路及び第１リム吐水口の鉛直流路流路断面
Ｄ１      上流側第１リム導水路の下流端
Ｆ        ボウルの前方領域
Ｈ１      上流側第１リム導水路の下流端における鉛直流路断面の外側壁面の最大高さ寸法
Ｈ２      上流側第１リム導水路の下流端における鉛直流路断面の内側壁面の最大高さ寸法
Ｌ        ボウルの左側領域
Ｌ１      上流側第１リム導水路の下流端から第１リム吐水口までの下流側第１リム導水路内の流路に沿った長さ
ＬＢ      ボウルの左後方領域
ＬＦ      ボウルの左前方領域
ＬＭ      ボウルの左側方領域
Ｍ        ボウルの前方領域と後方領域との間の中間領域
Ｏ１      壺の前後方向の中心
Ｐ１      壺の上縁の前端位置
Ｐ２      壺の上縁の後端位置
Ｐ３      外側リム接着部の高さ位置
Ｐ４      内側リム接着部の高さ位置
Ｒ        ボウルの右側領域
ＲＢ      ボウルの右後方領域
ＲＦ      ボウルの右前方領域
ＲＭ      ボウルの右側方領域
Ｓ１      内側リム接着面（接着面）
Ｓ２      外側リム接着面（接着面）
Ｖ０      上流側第１リム導水路内の全収容容積
Ｖ１      上流側第１リム導水路の洗浄水量（体積）
Ｖ２      下流側第１リム導水路の洗浄水量（体積）
Ｗ０      便器本体の導水路の洗浄水
Ｗ１      第１リム導水路の洗浄水
Ｗ２      第２リム導水路の洗浄水
Ｘ        ボウルの水平左右方向の中心軸線
Ｙ        ボウルの水平前後方向の中心軸線
【図１】
2020165172.tif 000003
【図２】
2020165172.tif 000004
【図３】
2020165172.tif 000005
【図４】
2020165172.tif 000006
【図５】
2020165172.tif 000007
【図６】
2020165172.tif 000008
【図７】
2020165172.tif 000009
【図８】
2020165172.tif 000010